Podtech/llm-jp-corpus-v4-ja_patent huggingface dataset:
(57)【要約】【課題】  不燃性木材の木材内部への薬液注入のむら解消および性能向上、また使用済み不燃木材の再利用を目的とする。【解決手段】  主に農作物の肥料に使用されている硫酸アンモニウムを主剤にした液体を木材内部への加熱減圧加圧振動および衝撃による注入向上または性能向上の加工法、また二次加工による微粉体、微粒子のセラミック系およびシリコン系水ガラス系による二重構造による性能向上、また粉砕物による農産物への肥料としての再利用の実用化である。【特許請求の範囲】
【請求項１】
木材の高温乾燥空気による透過性の改善
【請求項２】
木材の高温加熱減圧による木材内部の減圧方法
【請求項３】
振動および、衝撃による木材内部の加熱減圧方法また、振動および衝撃を直接与える加熱加圧注入方法
【請求項４】
木材内部の高温加熱減圧と、加熱液体加圧による注入方法
【請求項５】
常温木材による常温液体の注入法
【請求項６】
加熱による液体反応方法
【請求項７】
複数液による反応注入方法
【請求項８】
不燃木材の加工廃材および、使用後の木材再利用の不燃木材の製造方法
【請求項９】
多重木材構造によるは不燃木材の製造方法
【発明の詳細な説明】
【技術分野】
【０００１】  本発明は、木材の液体注入による木材の多機能および、形状安定および、化学加工の一次加工、二次加工に関するものである。
【背景技術】
【０００２】  木材に多機能を付与する方法として、木材に、透過性のある木材を使用し、薬液剤を注入するのが一般的である。主な商材としては防腐木材、不燃木材など少数の商材以外に加工は不可能であった。理由としてたとえば、エポキシ樹脂などは、二液性のため、使用可能時間などの関係で不可能であった。二次加工することにより、可能である。
【発明の開示】
【発明が解決しようとする課題】
【０００３】  製材した水分の多い板材○〜３０ｍｍ位を１１０度〜１５０度くらいで、高温乾燥することにより、透過性のない杉芯材など、透過性が付与される。【０００４】  乾燥した板材など圧力容器に入れ、１１０度〜１５０度で、加熱減圧することにより、透過性のない杉芯材など、短時間で透過性が付与される。【０００５】  一般的には常温で、木材を減圧し木材内部の空気を抜きとるが、真空状態になることにより、木材内部に残っている水分が蒸発し、気化熱を取ることより、木材が冷却され、透過性のない部分の空気が抜けなくなくなり、注入に影響を及ぼす。【０００６】  加熱減圧することにより、木材内部の水分による気化熱での冷却がなくなり、内部の空気及び水分の気化による気体も抜けることにより、液体注入がよくなる。【０００７】  加熱減圧工程および、加熱加圧工程、常温減圧工程、及び常温加圧工程時において、直接振動および衝撃を付与することにより、木材内部の減圧、加圧が促進される【０００８】  木材に機能を付与するために注入する薬剤は、多種多様で、特性も多く、薬剤により注入法も変える必要がある。現在の技術は、常温減圧、加圧方式なので、不燃木材の性能不足などの問題が生じてしまい、製造不可能であるため、薬剤に応じた注入方法が必要である。【０００９】  注入する薬剤には、加熱により変化しない物質、加熱に変化する物質、科学反応する物質、水に溶ける物質、冷えると固形化、結晶するなど、多様なため注入方法も変えなければならない。【００１０】  不燃木材の製造方法として使用されている薬剤として、硼酸類などの水溶液が、おもに使用されているが、木材が減圧され冷却しているので、結晶化が始まるため、木材の導管が目詰まりする現象で、全体に注入できないため、性能不足が起きてしまう。【００１１】  薬剤の結晶化を防ぐため、あらかじめ木材を加熱減圧することにより、木材内部の空気及び水分を抜き、加熱状態にする必要がある。注入する薬液はあらかじめ４０度〜５０度に加熱し、注入加圧することにより、結晶化が防げ目詰まりを起こさず木材全体に注入できる。【００１２】  加熱することにより、固形化、ゲル状化、又は気化するアルコールなどで、溶解した物質などは、加熱減圧注入は不可能である。【００１３】  加熱に反応する薬液は、木材を加熱減圧し、木材内部の空気及び水分を抜き、冷却装置により冷却後、反応しない温度まで下げて注入することにより、注入できる。【００１４】  木材の化学加工において、薬液が科学反応し、固形化またはゲル状化する物質が多く、調合できないため、二次加工することにより、化学加工木材の多様化ができる。【００１５】  環境に害の少ない農産物用肥料の硫酸アンモニウム注入不燃木材は、加工くずおよび使用済み不燃木材は、木材を粉砕することにより、農作物の肥料として使用できるため、再利用が可能である。多くの硫酸アンモニウム不燃液剤は、性能向上のため、化学反応しない多くの化学物質が含まれているため、肥料として再利用できない。注入した硫酸アンモニウム木材の表層部のみシリコン系およびセラッミク系、およびガラス系を二次加工することにより、性能向上および再利用出来る。【００１６】  硫酸アンモニウムを応用した不燃木��の加工
【行程】
▲１▼  加圧容器に木材を収める
▲２▼  木材を加熱減圧
▲３▼  加熱した硫酸アンモニウム水溶液を容器に注入する。
▲４▼  加圧−注入された木材を乾燥（二次加工）
▲５▼  乾燥した木材を容器に収める。
▲６▼  減圧
▲７▼  シリコン系およびセラミック系不燃液を表層部に注入
▲８▼  乾燥
【００１７】  厚さ○ｍｍから１０ｍｍ位の板材を、機械的にしわ状態にし、無数のひび割れ加工を付与し、比較的大きい物質、例えば数ミクロンの微粉体。セラミック系および微粒子の水ガラス系およびシリコン系の不燃物質を注入した積層加工木材を、硫酸アンモニウムを注入した不燃木材の表面にはり合わせることにより、熱放出力が高くなり、より不燃性が高まる。
【図面の簡単な説明】
【００１８】
【図１】圧力容器内の木材収納装置および、加熱減圧振動および衝撃装置の略図
【符号の説明】
【００１９】▲１▼  加熱減圧用、圧力容器および、断熱材の略図
▲２▼  台車枠
▲３▼  断熱材付木材収納容器
▲４▼  収納容器開閉ふた
▲５▼  加熱用電気ヒーター
▲６▼  冷却用パイプ
▲７▼  加熱伝導アルミ波板
▲８▼  高圧空気用振動及び衝撃装置
▲９▼  桟材
▲１０▼  木材
▲１１▼  給排水口及びパイプ
▲１２▼  木材固定用バンド
▲１３▼  振動板
▲１４▼  木材固定板
【図１】
2009269389.tif 000002
(57)【要約】【課題】  本考案は本装置をボード状にし、ボードの裏面に掛け金具を設ける事により脚立等に取付が可能となり、移動及び訓練場所がどこでも出来る様にする。【解決手段】  本考案は本体装置を前面パネル１ａに的となるスイッチ２ａ，３ａ，４ａを設け、中パネル１ｂに模擬炎を再現した発光ダイオード２ｂ，３ｂ，４ｂを消火手順により消灯する様設け、裏面パネル１ｃに脚立等に取付可能の掛け金具２と、操作用コントロールボックスを設けて、その三枚のパネルを重ねてボード状にした事により、軽量で、かつ、脚立等に取り付ける事により、どこでも訓練が可能となる。【選択図】図２
2009069786.tif 000002
【特許請求の範囲】
【請求項１】
光りが拡大する様に見せる乳白色フイルムと標的となるスイッチを設けた表パネル、色及び光の角度が違う発光ダイオードを配置した中パネルとフック及び制御ボックスを装備した裏パネルを組み合わせてボード状にし、裏面に取り付けたフックにより脚立等に取付られ、訓練用水消火器を使用し、標的を正確かつ、時間内に当てる訓練をする消火器訓練用ボード。
【発明の詳細な説明】
【技術分野】
【０００１】  本発明は、本体をボード化しフックを設け、どこでも簡単に訓練出来るための消火器訓練装置に関するものである。
【背景技術】
【０００２】  標的が回転式、転倒式又は液晶画面式の場合はパネル全体が標的で時間の制限が無く、装置（画面式）は外形も大きく重量が重く移動持ち運びが困難です。
【発明の開示】
【発明が解決しようとする課題】
【０００３】  従来の標的は回転する物、転倒する物又は液晶画面の物で標的全体が的で、かつ、一人当たりの時間の制限が無い事と、装置の物は経済的負担も大きくまた、保管場所も必要になる。従って、ボード化及びフックを設ける事により既存の有る物に取付可能となり、スイッチにより的を限定し、タイマーを付け時間の制限を設けることで前述の欠点を解消しようとするものである。
【課題を解決するための手段】
【０００４】  本発明は上記目的を達成するために、役割の違うパネルを組み合わせてボード状にし小型化したものであり、また、表パネル面には数カ所小型スイッチを設け時間内にそのスイッチ（標的）を順番に当てる事により、音と中パネルの模擬炎が小さくなり最後には消える。しかし、時間を越えると模擬炎が大きくなる。また、裏パネルにフックを設けて脚立等に取付可能としたもである。
【発明の効果】
【０００５】  本発明の消火器を訓練をするためのボードは、片手で持ち運びができ脚立等に取付可能としたことと、本来消火器には放射できる時間が決められているので、正確かつ、素早く消火できる訓練をどこでも簡単に訓練ができる。【０００６】  また、小形化したことで各団体及び町内会等でも手軽に消火器の訓練ができるようにしたものです。
【発明の実施するための最良の形態】
【０００７】  以下、本発明の実施の形態を図１〜図２に基づき説明する。
【０００８】  図２において、１ａは表パネルでフイルムを貼り、スイッチ（標的）２ａ・３ａ・４ａを設け、スイッチ（標的）を順番に消火器で放水していくと模擬炎が消えていく。その時音も鳴り時間を越えると模擬炎は大きくなる。
【０００９】  中パネル１ｂは、模擬炎の形に配置した色及び光の角度の違う発光ダイオード２ｂ・３ｂ・４ｂが設けられている。
【００１０】  また、裏パネル１Ｃには、脚立等に取付可能なフック２を設け、制御ボックスＣは音を鳴らす物と、ＡＣ電源回路及びＤＣ電源（バッテリー等）回路でも使用でき、模擬炎及び標的を制御する装置です。
【００１１】  それぞれのパネルを組み合わせる事により、本実施形態によれば小形及び軽量の効果が得られ、消火器本来の性能を生かせるものである。
【図面の簡単な説明】
【００１２】
【図１】キャタツ等の取付図
【図２】ボードの断面図
【符号の説明】
【００１３】  １    ボード本体
２    フック
３    戸手
１ａ  表パネル
２ａ  第一のスイッチ（標的）
３ａ  第二のスイッチ（標的）
４ａ  第三のスイッチ（標的）
１ｂ  中パネル
２ｂ  発光ダイオード（模擬炎大）
３ｂ  発光ダイオード（模擬炎中）
４ｂ  発光ダイオード（模擬炎小）
１ｃ  裏パネル
Ｃ    制御ボックス
【図１】
2009069786.tif 000003
【図２】
2009069786.tif 000004
(57)【要約】【課題】  路上でタクシーを利用しようとして、走行してくるタクシーに手を挙げているタクシー利用顧客に対し、遠くからでも確実に停車することを知らせるための停車合図表示灯で、メンテナンスの必要の無いＬＥＤを使用した表示灯を提供する。【解決手段】  本発明は、点灯手段を備え停車することを表す文字、図形の標識が表されたタクシー停車合図表示灯において、前記手段がＬＥＤであり、前記標識に文字、図形の形に複数のＬＥＤが並べられていることを特徴とする。【選択図】図１
2009069784.tif 000002
【特許請求の範囲】
【請求項１】
点灯手段を備え、停車することを表す文字、図形等の標識が表されたタクシーの停車合図表示灯において、前記点灯手段がＬＥＤであり、前記標識の形にＬＥＤが並べられていることを特徴とするタクシー停車合図表示灯。
【発明の詳細な説明】
【技術分野】
【０００１】  本発明は、路上でタクシーを利用しようとして手を挙げている顧客をタクシー乗務員が認識し、該顧客に停車することを意思表示する文字を、メンテナンスの必要の無いＬＥＤを並べて表した停車合図表示灯に関する。
【背景技術】
【０００２】  路上でタクシーを利用しようとする顧客は、走行してくるタクシーに手を挙げてタクシーの停車を待つが、確実に停車してくれるかどうか不安である。便宜上ハザードランプが点灯されるのを確認することによって停車してくれることを認識しているが、本来ハザードランプは車両が停車又は駐車中であることを表示するランプであって、該顧客のための停車合図灯ではない。したがって確実に停車する意思を表するＬＥＤを応用した表示灯は現在使用されていない。
【発明の開示】
【発明が解決しようとする課題】
【０００３】  本発明は、路上でタクシーを利用しようとして手を挙げている顧客には、特に夜間など、タクシーが停車してくれるかどうかの確認が難しいので、利用者にとって不便である。それ故本発明の目的は上記課題を解決し、遠くからでも利用者に停車することが確認させることができ、更にメンテナンスの必要の無いＬＥＤのよる停車合図表示灯を提供することにある。
【課題を解決するための手段】
【０００４】  この発明は点灯手段を備え、文字、図形等の標識が表されたタクシー停車合図表示灯において、前記点灯手段がＬＥＤであり、前記標識の形にＬＥＤが並べられていることを特徴としている。ＬＥＤ（発光ダイオード）は電球や蛍光灯よりも輝度が高く、そのため遠くからでも認識しやすい。上記目的を達成させるためにタクシーの屋根上又は前部ウインド左側サンバイザーの位置等、条例の許す箇所に設置されるものである。【０００５】  また、本発明の停車合図標示灯では、停車することを表す文字、図形、の形にＬＥＤが並べられているので点灯させると、表示灯全体ではなく標識部分だけが光る。よってタクシー利用者は停車することを判別する文字、図形を容易に認識できる。更にＬＥＤは消耗することが無いので、本発明の停車合図表示灯はメンテナンスの必要がない。【０００６】  電源は車両のハザードランプの回路に接続されるもので、ハザードランプを作動させることによって、ＬＥＤを停車することを表す文字の形に並べた表示部が点滅して、タクシー利用顧客に停車することを確実に認識させる、停車合図表示灯を形成するようにしたものである。【０００７】  また本発明の停車合図表示灯の電源回路には、独立したスイッチを設けて車両の故障及び緊急停車時に使用される場合のハザードランプ作動時には、停車合図表示灯の電源はＯＦＦされる。
【発明の効果】
【０００８】  停車することを表する文字の表示部は、ＬＥＤ（発光ダイオード）を使用しているので、電球や蛍光灯よりも輝度が高く、タクシー利用顧客は遠くからでも停車合図表示灯を認識できる。そのためタクシー利用顧客は、タクシーが止まるまで不安な気持ちで手を挙げ続ける必要がなくなる。【０００９】  また、タクシー乗務員は、手を挙げて乗車しようとしているタクシー利用顧客を認識した時点で、停車合図表示灯を点灯させるだけで、停車することを該顧客に確実に認識させられる。
【実施例】
【００１０】  本発明に係るタクシー停車合図表示灯の実施例を図面に基づいて説明する。
図１は本発明に係るタクシー停車合図表示灯を示す斜視図である。【００１１】  本実施形態の停車合図表示灯１では、標識が「止まります」、又は「停車します」など、停車することを表す文字からなる。標識は、表示板３に複数のＬＥＤＥ４が並べられることにより形成されている。表示板３はケース２の中に収められており、標識を見ることが出来るように、ケース２には四角な窓２ａが設けられている。又表示窓は片面のみである。【００１２】  本実施形態の停車合図表示灯１では、ＬＥＤ４によって点灯する。そのため輝度をかなり高くすることができ、夜間はもちろんのこと昼間でも表示灯１を際立たせることが可能である。従って、本実施形態の表示灯１によって、タクシー利用者に確実に停車することを認識させることが可能になるので、タクシーのサービス向上になる。【００１３】  又、本実施形態の表示灯１では、ＬＥＤ４が標識の形に並べられているため、点灯させると標識部分だけが光る。よって、タクシー利用者は用意に停車することを認識することが出来る。更に、ＬＥＤ４は電球や蛍光灯のように消耗することが無いので本実施の表示灯１ではメンテナンスの必要がない。【００１４】  本実施形態の表示灯１の電源線は、タクシー車両のハザードランプ回路へ接続され、ハザードランプのスイッチ操作で、ハザードランプと同時にＬＥＤ４も点灯し点滅して、タクシー利用顧客に停車することを認識させる。光の色は条約に違反しなければ緑色、黄色、赤色など何でも良い。
【産業上の利用可能性】
【００１５】  上述の発明は、ＬＥＤ４で標示された、止まります又は停車します、という停車することを表す文字が点滅することによって、路上でタクシーに乗車しようとするタクシー利用顧客には、確実にタクシーが停車することを認識出来るので、停車してくれるかどうか不安な気持ちで手を挙げ続けたり、走行してくるタクシーの前方へ飛び出したりする必要がなくなるので事故防止にも役立つ。
【図面の簡単な説明】
【００１６】
【図１】本発明の停車合図表示灯を示す斜視図である。
【符号の説明】
【００１７】  （１）表示灯の全体を表す
（２）ケース
（２ａ）窓
（３）ケースの中に取り付けられた表示板
（４）ＬＥＤ
【図１】
2009069784.tif 000003
(57)【要約】【課題】音読・暗誦・音読再生を通じて言語等を習得するには、大きな困難があった。本発明は格別の努力しなくとも多少の忍耐をすれば目的を達成できるようにしたものである。【解決手段】音読（暗誦）用のテキストにおいて、原文のほかに特別に工夫したヒント文を‘テキストを見て’の過程と‘何も見ないで’の過程との間に入れます。つまり‘ヒント文を見て’の過程をその間に入れるのです。ヒント文は以下の様なものです。文章（学習しようとする文）の中のすべての単語を構成する文字を記号にかえ、元の文章と単語の文字と同じ配列でその記号を表示し、句読点は原文そのままに表示することをしたものです。または、一部の単語を原文のままか、単語の中の一部の文字を原文の文字で表示してヒント文とする。これらのヒント文を利用した学習関係書・聴取用教材の小冊子、パンフレット・その他の記憶媒体を使って該課題を解決します。【選択図】なし【特許請求の範囲】
【請求項１】
文章中のすべての単語を構成する文字を記号に変え、元の文章の単語の文字と同じ配列でその記号を表示し、句読点は原文そのままに表示することをした記憶・暗誦・音読再生・学習用学習書、聴取用教材の補助小冊子・パンフレット、及び  コンピューターソフトウエア・プログラムの記憶媒体。
【請求項２】
文章中のすべての単語を構成する文字を記号に変え、元の文章の単語の文字と同じ配列でその記号を表示し、句読点は原文そのままに表示することをした表示において一部の単語を原文の単語のまま、または、単語の一部の文字を原文のまま表示したヒント文を持つ記憶・暗誦・音読再生・学習用の学習書、聴取用教材の補助小冊子・パンフレット・及び  コンプーターソフトウエアー・プログラムの記憶媒体。
【発明の詳細な説明】
【技術分野】
【０００１】学習・記憶・音読再生・暗誦用の教材はテキストと録音媒体で構成されている。この中のテキストとソフトの改良に関するものである。
【背景技術】
【０００２】上のテキストには文章とその訳文が少なくとも付けられている。しかし殆どはそれまでで、あとは学習者が何べんも聴き繰り返し読みなさいというものです。
【発明の開示】
【発明が解決しようとする課題】
【０００３】中には数百回から五百回を繰り返しをするとよいとしているのもある。なかなか大変なことなのです。暗誦を伴う学習・稽古はただ意欲にのみ支えられている厳しいものです。【０００４】しかし、ヒントの出し方がこの困難さを緩和することは学習科学で承知の通りです。このヒントに格別の工夫をしたものが本発明です。そのヒントを使って普通の一般の学習者・稽古者が容易にこなせるようにするものです。【０００５】一般にテキストを見てＣＤの音をきき発声して練習します。そしてテキストから離れてテキストを見ないで発声し読むのです。テキストが短い文などでは簡単容易なことが、実用に値する長さの文などではこの方法は一般の学習者にとっては困難です。‘テキストを見て’と次の‘何も見ないで’やるとの間の落差が大きすぎるのです。この落差を小さくするものです。【０００６】ヒント文を使って学習し、外国語のアウトプット回路（発話能力）さえ容易に学習者に与えようとするものです。
【課題を解決するための手段】
【０００７】上のテキストの原文のほかに特別に工夫したヒント文を入れ、音読学習過程に‘テキスト原文を見て’と‘何も見ないで’の過程の間に‘ヒント文を見て’なる過程を入れるのです。【０００８】即ち再生音読過程にヒント文をみてやるのを入れます。そしてヒント文は以下の様なものです。文章（学習しようとする文）の中のすべての単語を構成する文字を記号にかえ、元の文章と単語の文字と同じ配列でその記号を表示し、句読点は原文そのままに表示することをしたヒント文とする。【０００９】または、文章中のすべての単語を構成する文字を記号に変え、元の文章の単語の文字と同じ配列でその記号を表示し、句読点は原文そのまま野表示することをした表示において、一部の単語を原文のままか、単語内の一部の文字を原文の文字で表示したヒント文とする。【００１０】ヒント文は原文と同時に目視できるようにしても、また同時に目視できないように配列してもよいのです。利用目的・学習段階に合った使い方が出来ます。原文とヒント文とを交互に音読したり、即ち、音読再生したり、多原文とヒント文を交互に継続的に長時間聴読・音読することで母語の介入を止めることにより外国語のアウトプット回路を学習者の中につくります。【００１１】これらのヒント文を持った学習関係書・聴取用教材の小冊子・パンフレット・ポンピューター記憶媒体を使って該課題を解決します。
【発明の効果】
【００１２】聴取音読を繰り返す再生学習で該ヒントを使う過程を入れると、学習者は特別すぐれた記憶力が無くても、普通の学習者でも原文の理解・発音の理解さえあればあとは繰り返すだけの多少の忍耐さえあれば容易に原文を習得できるようになります。従来の暗誦は一般に辛いものという観念から抜け出せます。特に外国語のアウトプット能力習得のためには適しています。該ヒント文は文の外形・単語形を残した句読点をもそのままですので外国語のパターンを暗示し更にその外国語特有の表現を間接的にそのまま余すところ無く暗示しますので、外国語をありのままで加工しないで暗示しますから強力な暗示教材です。【００１３】外国語なら加工しないでそのまま直接強力に暗示をあたえますが。ただ学習者はレベルに応じてヒントを求めます。ですから文字によるヒントの出し方は学習目的によっていろいろです。  機能語を記号化すれば基本基礎の習得に向いています。  情報語を記号化すれば中身の理解に向いているでしょう。従来の訳読学習で取り残された外国語習得時の穴つまりアウトプット力を作るのにも向いています。暗誦習得の中には記憶と繰り返しがあります。該ヒントを使うことによりそのうちの記憶よりも繰り返しに重点を移せるようにしました。記憶はその時の集中のみで、あとは無理しなくとも自然に頭に残るようになります。無理な暗記をしなくとも主に繰り返すだけで外国語を誰でも習得できて使えるようになります。【００１４】更に原文とヒント文の交互音読・即ち音読再生やそれを多数の文に渡って、あるいは長時間継続的に実施し母国語の介入を防ぎながら外国語のみに集中し練習を容易にします。こうして練習を継続をすれば従来困難だった外国語の発話能力（アウトプット能力）さえも獲得できます。
【発明の開示】
【発明を実施するための最良の形態】
【００１５】
【実施例１】
【００１６】
2009069790.tif 000002
【実施例２】
【００１７】
2009069790.tif 000003
2009069790.tif 000004
【産業上の利用の可能性】
【００１８】語学学習やほかの稽古分野のみでなく、高齢化社会を向かえ頭脳的老化を防ぐ分野でトレーニングやリハビリタションに利用可能です。
(57)【要約】      （修正有）【課題】ＩＴを使って、世界的規模で、会員同士が「教え合い、学び合い」、語学学習と、語学在宅収入を得る事が出来る支援・仲介システムを提供する。【解決手段】会員登録支援仲介管理運営組織・企業が、会員の世界の語学学習向上と会員の語学在宅収入を図る為、国内及び世界中の国々から、世界的規模で、国別に、ＩＴを使って会員講師希望リストをＩＴ画面上に表示する。学習者は、ＩＴ画面上で、世界的規模で、国別の講師リストから講師毎の受講料金を見て、即自分の希望する講師を自由に選定し、アクセスし、料金を決裁して、ＩＴを使ってそのまま講師から受講をする。以上のように、ＩＴを使って会員登録支援仲介組織・企業が支援・仲介するシステムにより、この課題を解決する。【選択図】なし【特許請求の範囲】
【請求項１】
ＩＴビジネスである『会員同士の、世界的規模における、世界の語学学習・語学在宅収入』の支援・仲介システム。
【発明の詳細な説明】
【技術分野】
【０００１】  本発明は、ＩＴビジネス『会員間同士の、世界的規模における世界の語学学習・語学在宅収入』の支援仲介システムに関するものである。
【背景技術】
【０００２】  従来、語学授業の学校・企業・教室は、講師を雇用して、学習者に授業をしていた。学校・企業・講師と学習者の間で、インターネットで登録、予約をしたり、授業の一形態としても使用されていた。【０００３】
【特許文献１】  特開２００３−１９５７３４号公報
【発明の開示】
【発明が解決しようとする課題】
【０００４】  しかし、これでは、国内及び世界中の国々から、世界的規模で、国別に、圧倒的多数の講師を即自由に選択したくとも限られていた。又、一日の中で、自分の学習したい時、自分の都合の良い時に、予約なしで、即学習する事が出来なかった。又、世界的に、知識階層のみならず、多くの人達の中で、「自分の都合の良い時間に、仕事がしたい。」、「在宅収入を得たい。」、「できれば世界の語学もマスターしたい。」と強く望む人が沢山いたが難かしかった。とりわけ世界的規模で、「外国語は話せないが、母国語は話せるから、ＩＴを使って自分の都合の良い時間に、母国語を活用して在宅収入を得たい。同時に、母国語を教えながら自分も外国語にふれ、親しみ、学習していきたい。」という人が多数いたが、気楽に講師になるのは難かしかった。本発明は、以上のような欠点を無くする為になされたものである。
【課題を解決するための手段】
【０００５】  そこで、ＩＴを使って世界の語学の学習を希望する者。ＩＴを使って講師になって在宅収入を希望する者。ＩＴによる語学学習と語学の講師による在宅収入の両方を希望する者。以上が会員登録し、会員同士で世界の語学学習の向上を図っていく。会員登録支援仲介管理運営組織・企業が、会員の世界の語学学習向上と会員の語学在宅収入を図る為、国内及び世界中の国々から、世界的規模で、国別に、ＩＴを使って会員講師希望リストをＩＴ画面上に表示する。
外国語は話せないが、在宅収入を希望する会員の場合でも、支援仲介組織・企業からの支援のもと、ＩＴを使って、自分が毎日使っている母国語で発音し、講師になる事ができる。《外国語を話せない会員の例》
パソコンのウエブカメラの前で、あるいは携帯電話のテレビ電話の前で、講師がカメラ・学習者に向って、自分の胸元で大きめの学習カードを表示する。講師は、ウエブカメラの横にある鏡で、自分の胸元の学習カードを見ながら、普段通りの母国語で発音する。学習カードの内容は、上段に学習する外国語の文章（＝講師の母国語の文章）が大きめに書いてある。その下には、発音記号が表記されている。中段には、上段の文章と同じ内容を、学習者の国語で表記されている。（学習者が一目で内容を理解できる為に。）学習カードの下段には、上段に大きめに書かれているのと全く同一の内容で、小さめの文字・文章がこれも講師の母国語で書かれてある。講師は、自分の前になるカメラの近くにある鏡で、下段の文章（講師の母国語で鏡文字で書いてある）を見ながら発音すればよい。
又は、外国語を話せない会員でも、ＩＴの音声自動翻訳機能を使って、講師になって、日常話している母国語を自然体で発音し、講習を進めていく事が出来る。先ず学習者が、パソコンのウエブカメラ又は、携帯電話のテレビ電話に向って、マスターしたい外国語を、母国語で発音すると、音声自動翻訳機能が作動して学習者のＩＴ画面上に、外国語の文章と発音記号が表記される。同時に、講師のＩＴ画面上にも音声自動翻訳機能によって、学習者が発音した内容の文章（学習者の母国語）と、翻訳された文章（講師の母国語）が自動的に表記される。講師は、学習者が発音した後、ＩＴ画面上に表記される翻訳された文章をそのまま発音し、講習を進めていく事が出来る。
学習者は、ＩＴ画面上に表示されている中から、自分の希望する講師を選定し、アクセスする。受講料を決裁する。受講する。以上のように、ＩＴを使って、会員登録支援・仲介管理運営組織・企業が、支援・仲介するシステムを発明した。
【発明の効果】
【０００６】  よって、ＩＴを使って、会員間で、自分の都合の良い場所から、自分の予算に合わせて、比較的自分の都合の良い時間、学習のしたい時に、予約をしなくとも、時間単位で、気楽に、国内及び世界中から多くの講師を自由に選び、本場の生の語学を学習する事が出来る。又、外国語を話せない人でも、語学の在宅収入を希望する場合、支援・仲介組織・企業からの支援のもと、ＩＴを使って自分が日常話している母国語で発音し、講師となって在宅で収入を得る事が出来る。教えながら自分も外国語の向上を図る事が出来る。世界の語学交流発展につながる。
【発明を実施するための最良の形態】
【０００７】  本発明に係る支援・仲介システムについては、学習者は、ＩＴ画面上で、世界的規模で、国別の講師リストから講師別受講料金を見て判断し、アクセスし、料金を決裁して、ＩＴを使って映像を見聞きしながら受講する。外国語を話せる会員講師の場合、映像は勿論の事、音声だけでも会話出来る。
又は、ＩＴ画面上に、各講師毎に、プロフィル（会員登録番号、国籍、名前若くはニックネーム、性別、年代、メッセージ等。）、講師の希望時間帯（受講可能時間帯）、時間当りの料金（受講料）、講師がどれだけ受講者の母国語を習熟しているか、習熟度（Ｉ学習者の母国語全く話せない。ＩＩ日常会話程度話せる。ＩＩＩ会話も教育も熟達している。）以上がＩＴ画面上に表示される。
会員である受講希望者は、自宅又は自分の都合の良い場所で、予約なしで、多くの講師の中から、自分の希望する条件に合った（国籍、性別、年代、講師のポリシー、料金、時間帯、習熟度）講師を自由に選択し、アクセスする。受講料を決裁する。受講する。
外国語を話せる会員講師は、自由に会話をすることができる。又、外国語（学習者の母国語）を話せない会員でも、支援・仲介組織からの支援のもと、ＩＴを使って、自分が話している母国語を自然体で発音し、講習を進めていく事が出来る。
以上の進行によって、会員学習者は、希望する語学の学習を深め修得していけばよい。又会員講師は、在宅又は都合の良い場所で収入を得ていけばよい。
(57)【要約】【課題】振動や傾けたり移動したりしたことで機器の入力が可能なスイッチを提供する。【解決手段】加速度センサーを使用し、センサー部が振動・傾き・加速度を検知し、ワンチップマイコンが制御することで機器の操作が可能となる加速度スイッチモジュール。【選択図】図１
2009069132.tif 000002
【特許請求の範囲】
【請求項１】
加速度センサーを使用することにより可動部をなくしたことを特徴とする加速度スイッチモジュール。
【請求項２】
水平位置の設定にワンチップマイコンを使用することにより、あらゆる取り付け角度に対応した加速度スイッチモジュール
【請求項３】
感度の調整にワンチップマイコンを使用することにより、あらゆる用途に使用できる加速度スイッチモジュール。
【請求項４】
出力形式にワンチップマイコンを使用することにより、あらゆる出力形式に対応した加速度スイッチモジュール
【請求項５】
機構部品を用いないため、チャタリングがないことを特徴とする加速度スイッチモジュール。
【発明の詳細な説明】
【技術分野】
【０００１】本発明は斜度情報を入力としたスイッチに関する。
【背景技術】
【０００２】従来の斜度に関するスイッチには機構部品による接点入力のものがある。
【特許文献１】特許出願平４−３４２２７１
【発明が解決しようとする課題】
【０００３】これらには次の問題があった。
（イ）  機器に組み込む時水平に取り付ける必要があった。
（ロ）  機構部品によるチャタリングのため高精度が要求される、機器へは使用できなかった
（ハ）  出力が接点によるＯＮ・ＯＦＦのため取り付ける機器によっては信号を変換する必要があった。
本発明は、これらの欠点を除くためになされたものである。
【課題を解決するための手段】
【０００４】傾きの検出に加速度センサーを用いり信号の変換にワンチップマイコンを使用した加速度スイッチモジュールである。
【発明の効果】
【０００５】この発明によればボタン入力が困難な人でもわずかな動きでボタン入力が可能となり振動・傾き・移動のどれかを検出することで地震が起きた時などの自然災害が発生した事をしらせることや、ワンチップマイコンのデーターを変更することによりほとんどのスイッチへ応用可能である。
【実施例】
【０００６】本発明の実施例について、図１を参照して以下に説明する。
図１は加速度スイッチモジュールの略図的な斜視図である。
基板１にはワンチップマイコン２と加速度センサー３が設けられている。
加速度センサー３からの信号をワンチップマイコン２にて接続する機器に応じた出力へ変換する回路を基板１へ実装した
【図面の簡単な説明】
【０００７】
【図１】本発明による加速度スイッチモジュールの実施を示す斜視図
【符号の説明】
【０００８】１  基板
２  ワンチップマイコン
３  加速度センサー
【図１】
2009069132.tif 000003
(57)【要約】【課題】    主に燃料噴射弁からの液漏れ量測定装置等に、測定管として用いられている透明な管の内径寸法を、比較的簡単な装置と演算により高精度に求める事が出来る透明管の内径測定装置を提供する。【解決手段】測定対象である透明管を、高い容量精度、再現精度が保証された測定液注入器に連結し、一定量の測定液を注入した際に上昇する液面高さを測長手段によって読み取り、注入液容量を液面上昇量で除して得られる内径断面積により確度の高い内径寸法値が得られる。【選択図】図１
2009069136.tif 000002
【特許請求の範囲】
【請求項１】
透明な管の内径を測定する装置であって、詳細には、
保証された容量精度にて測定液を供給する測定液注入手段と、
注入された測定液を測定対象内に導入する通路を持ったワーク取付手段と、
測定液が注入された時の測定対象内の液面変化量を測定する測長手段と、
を備える事を特徴とした透明管内径測定装置。
【発明の詳細な説明】
【技術分野】
【０００１】本発明は、透明な管の内径を測定する装置に関する。主な利用分野としては、燃料噴射弁の液漏れ測定装置を想定している。詳細にはその測定精度を向上する為に供されるものである。
【背景技術】
【０００２】従来、主に特許文献１，２の様な燃料噴射弁の液漏れ測定装置に、内径が概ね０．３ｍｍ程度の透明な管が測定管として使用されている。
詳細には、漏れた試験液を測定管に導入し、その液面上昇量を目視又は光学的に測定し、これに管内径断面積を乗じて漏れ量として算出する装置がある。
【特許文献１】特開平５−６６１７３号公報
【特許文献２】特開２００４−４５２４９号公報
【発明の開示】
【発明が解決しようとする課題】
【０００３】上記の様な液漏れ測定装置において、測定管の内径が小さいほど液流入時の液面上昇量は大となり、より詳細に漏れ量を測定出来る。この為上述の様に内径寸法０．３ｍｍ程度のガラス等の透明材料の管が用いられている。
しかしこの様な小径管は、精密を謳うリードロー法により製作された場合でも、±０．０５ｍｍ程度の寸法公差を持っているのが普通である。【０００４】今、基準内径寸法を０．３ｍｍとし、公差上限寸法０．３５ｍｍ、公差下限寸法０．２５ｍｍである２本の管に１０μｌの測定液を注入した際の各々の液面上昇量ｈ１、ｈ２を求める。円筒体積ｖ＝πｒ＾２×ｈよりｈ＝ｖ／πｒ＾２とし、
ｈ１＝１０／（π×０．１７５＾２）＝１０３．９３・・
ｈ２＝１０／（π×０．１２５＾２）＝２０３．７１・・
となりその差は約１００ｍｍでありこれを基準内径管において容量に換算すると
ｖ＝π×０．１５＾２×１００＝７．０６・・
であり約７μｌとなる。【０００５】実際の液漏れ測定においては、管内径断面積に液面上昇量を乗じて漏れ量を算定するのであるが、測定管の内径が寸法公差範囲内であってもその液面上昇量には上述の通り大きな差が生じ、直接的に測定結果に影響する。【０００６】よって上記特許物件１、２の様な液漏れ測定機の精度をより高めるには、測定管の内径加工精度に頼らず、内径が測定され保証された物を使用するべきである。【０００７】本発明は上述の実状に鑑みてなされたものであり、比較的簡単な装置と演算により透明な管の内径寸法値を高精度に求め、以って前述の様な液漏れ測定機の精度を向上させる事を目的とするものである。
【課題を解決するための手段】
【０００８】本発明の請求項１に記載の液漏れ測定装置は、測定対象である透明管の一端を測定液注入手段に連通する液通路を持った治具に連結し、他端は大気開放された状態でその姿勢を保持するワーク取付手段を持っている。また測定液注入手段は高い容量精度が保証され、一定量の測定液を再現性良く注入出来る。またその際に上昇する液面高さを読み取る測長手段を持っている。
この一連の測定を複数回行い平均値を求め、注入液容量を液面上昇量で除し、得られた内径断面積により確度の高い内径寸法値が得られる。
【発明の効果】
【０００９】本発明は上述の通り、その装置構成と演算は比較的簡単であり、安価に、かつ測定者の熟練も要さず、透明な管の微小な内径寸法を測定出来る。これを以って前述の様な液漏れ測定装置の精度の向上に寄与する。
【発明を実施する為の最良の形態】
【００１０】以下、本発明の実施の一形態を図に基づいて説明する。
本発明の一実施例である液漏れ測定装置の概略的な全体像を図１に示す。
測定対象である透明管１は、測定液注入器２と連通した通路を持つブロック３に鉛直にセットされる。この時、透明管１とブロック３の通路には予め少量の測定液を供給しておく。次にクランプ４により透明管１が下方に押し付けられ、管の端面とブロック３は図示しないＯリングによりシールされ連結される。尚、クランプ先端には、透明管の液面上昇を妨げない様、大気と通ずる空気通路があり、透明管上端面と接している。
【００１１】ここで、先に少量供給しておいた測定液の液面が測長範囲にあり、その高さを測長器機５の測定原点とする。以上で測定準備が完了する。
【００１２】次に、測定液注入器２より一定量の測定液を供給すると、透明管１の液面は上昇し停止する。その高さを測長機５により読み取る。これを適当回数繰り返し、得られた値の平均値を以って透明管１の内径を算定する。
【００１３】本実施例で用いた測定液注入器はマイクロシリンジと呼ばれる器具で、容量精度、再現精度が±１％程度の品が安価に市販されている。この精度上下限が内径測定結果に及ぼす影響を以下に示す。
【００１４】実際の内径が０．３ｍｍである透明管に、１０μｌの測定液を注入した際の液面上昇量ｈは、
ｈ＝１０／（π×０．１５＾２）＝１４１．４７・・
である。これに対し精度上限容量１０．１μｌ、精度下限容量９．９μｌを注入した際の液面上昇量ｈ３、ｈ４は、
ｈ３＝１０．１／（π×０．１５＾２）＝１４２．８８・・
ｈ４＝９．９／（π×０．１５＾２）＝１４０．０５・・
である。
【００１５】ここで、実際には注入液量は１０μｌとして測定しているのであるから、上記の液面上昇量ｈ３、ｈ４より管内径を算定すると、
2009069136.tif 000003
となり、管内径は０．２９８５ｍｍから０．３０１５ｍｍと求められる。
この値は内径の真の値０．３ｍｍに対し±０．００１５ｍｍの誤差範囲にあり、これがすなわちマイクロシリンジの容量精度が及ぼす測定結果への影響である。
実際には複数回測定し平均値を得るので、さらに高精度が期待できる。
【００１６】また本実施例では、液面高さの測長に市販のデジタルハイトゲージを用いており繰り返し精度±０．０１ｍｍ程度の物が比較的安価に市販されている。
より測定精度を追求するのであれば、ＣＣＤラインカメラ等の光学的手段を用いる事も可能である。
【００１６】また使用する測定液は、例えば水など粘度、揮発性の低い物が適する。
【図面の簡単な説明】
【００１７】
【図１】本発明の一実施例である透明管の内径測定装置の、測定準備がなされた状態での概略的な全体像を示す。
【符号の説明】
【００１８】  １    透明管（被測定物）
２    測定液注入器
３    ブロック
４    クランプ
５    測長機
【図１】
2009069136.tif 000004
(57)【要約】【課題】  肥満の原因である早食いを矯正すること。【解決手段】  警告の種類が設定でき、自動で警告を繰り返すことができ、繰り返される警告の間隔の時間設定もでき、食事の開始から終了までの時間も設定できることを特徴とするダイエット・アラーム・タイマー。【選択図】図１
2009069134.tif 000002
【特許請求の範囲】
【請求項１】
警告の種類が設定でき、警告を鳴らす時間も設定でき、自動で警告を繰り返すことができ、繰り返される警告の間隔の時間設定もでき、食事の開始から終了までの時間も設定できることを特徴とするダイエット・アラーム・タイマー。
【発明の詳細な説明】
【技術分野】
【０００１】  本発明は、アラームないしバイブレーション等の警告を発して、食事のスピードをコントロールすることができるダイエット・アラーム・タイマーに係る物である。
【背景技術】
【０００２】  従来、食事のスピードを遅らせるのに医療関係者などから「噛む回数を増やしなさい。一口食べたら箸を置け」という指導がなされていたが、実際この指導を行うと、とても面倒で、ストレスになってしまう。また、人は、一日２回から３回食事をとるが毎回この指導を行うのは無理。
【発明が解決しようとする課題】
【０００３】  人が食事を摂取し始めてから満腹感を感じるのに１５分ないし３０分かかる。肥満者は基本的に早食いの傾向があり満腹感を感じる前に大量の食事を取ってしまう。そこで何とか食事を楽しみながら、食事のスピードを遅らせたい。本発明は以上の問題点を解決するためのものである。
【課題を解決するための手段】
【０００４】    警告の種類が設定でき、警告を鳴らす時間も設定でき、自動で警告を繰り返すことができ、繰り返される警告の間隔の時間設定もでき、食事の開始から終了までの時間も設定できることを特徴とするダイエット・アラーム・タイマーである。
【発明の効果】
【０００６】    本発明によると、設定された時間内で、一定時間ごと繰り返しアラームないしはバイブレーションが発せられ、それを感知した使用者が「ゆっくり、よくかんで、味わって、食べる」という意識を食事中に持続させることが可能である。食事中にテレビを見ていたり考え事をしているようなときでも一定の時間がくればアラームやバイブレーションなどの警告がくるので、自分が早食いになっていないかを確認することができる。コンパクトで携帯にも便利なので外食にも使える。警告をバイブレーションのほうに設定しておけば周りにきずかれることもない。
【発明を実施するための最良の形態】
【０００７】    本発明の実施の形態を図面に基づき説明する。図１は本発明が出来上がった状態をしるしている。時間を表す液晶画面と五つのボタンからなる。大きさはスーツやワイシャツのポケットに入るぐらいの大きさである。スイッチ▲１▼で警告の種類（アラーム、バイブレーション等）を選択することができる。スイッチ▲２▼で警告する時間の長さを設定できる。スイッチ▲３▼で何分おきに警告を鳴らすかを設定する。スイッチ▲４▼何分で電源を落とすか設定する。スイッチ▲５▼でスタート、ストップをすることができる。スイッチ▲１▼とスイッチ▲２▼を同時に押すとリセットがかかる。
【実施例】
【０００８】  本発明を使用するときは、スイッチの順番に従って設定していく。例えばスイッチ▲１▼でバイブレーションを選択し、スイッチ▲２▼で２秒と設定し、スイッチ▲３▼で１分３０秒と設定し、スイッチ▲４▼で２０分と設定し、スイッチ▲５▼でスタートする。そうすると開始してから２０分間の間に１分３０秒ごとに２秒間のバイブレーションの警告を発する。この警告を感知した使用者は早食いに戻っていないか確認する。この間はスイッチ▲５▼を押してストップをかけない限り止らない。２０分後に自動的に電源が切れる。
【図面の簡単な説明】
【０００９】
【図１】本発明の正面図
【図２】本発明の裏面図
【符号の説明】
【００１０】  １  スイッチ▲１▼  ２  スイッチ▲２▼  ３  スイッチ▲３▼  ４  スイッチ▲４▼  ５  スイッチ▲５▼  ６  液晶画面  ７  スピーカーの穴  ８  電池入れのふた
【図１】
2009069134.tif 000003
【図２】
2009069134.tif 000004
(57)【要約】      （修正有）【課題】熟練した知識や経験がなくとも、容易に住宅の傷や不具合に対する補修方法や最適な材料を選択する方法を提供すること。【解決手段】住宅の傷や不具合の症状と、不具合の症状ごとに補修方法をデータベース化し、ネットワークを介して、前記データベースにアクセスし、過去の類似データの中から現在生じている傷や不具合に近い症状と最適な補修方法、使用材料及び色を検索し、ダウンロードによりユーザ端末装置へ配布するシステムを構築する。【選択図】なし【特許請求の範囲】
【請求項１】
熟練した知識や感覚がなくても、容易に傷や不具合に対する補修方法や最適な材料を選択できるシステムであって前記ネットワークを介して前記データベースにアクセスし、傷や不具合の類似データの中から近い症状を選択して、前記データベースから最適な補修方法及び材料を検索し、ダウンロードによりユーザ端末装置へ配布する仕組みを特徴とするシステム  熟練した知識や感覚がなくても、容易に傷や不具合に対する補修方法や最適な材料を選択できるシステムであって前記ネットワークを介して前記データベースにアクセスし、傷や不具合の類似データの中から近い症状を選択して、前記データベースから最適な補修方法及び材料を検索し、ダウンロードによりユーザ端末装置へ配布する仕組みを特徴とするシステム
【発明の詳細な説明】
【技術分野】
【０００１】最適な補修方法の選択と最適な補修剤及び最適な色を判断する方法に関する
【背景技術】
【０００２】従来、この種の補修剤を選択する方法は、熟練した職人の知識や感に頼るものであった。
【発明の開示】
【発明が解決しようとする課題】
【０００３】従来、職人の経験や感覚に頼っていた補修剤の選定及び色の選定において、以下のような課題がある。（１）職人個々の経験や感覚に基づく為、選定結果が必ずしも一致しない。（２）職人の体調によって選定結果が異なる。（３）人間が観察する場合、測定する環境によって選定結果が異なる。（４）熟練した経験がないと、選定が困難である。本発明は、以上のとおりの事情に鑑みてなされたものであり、傷や不具合を分類し、その症状に応じて適切な材料を選定、また、色については、基本となる素材を機器によって測定しその結果から最適な色を選定できるようにすることで、熟練した経験がなくとも、容易に適切な材料を選定することができるシステムを提供することを目的としている。
【課題を解決するための手段】
【０００４】上記課題を解決するために本発明は、
【発明の効果】
【０００５】以上述べて来た如く、本発明によれば、今迄のような熟練した職人の知識や感覚が必須とされていた補修方法の選択と補修剤の選択そして最適な色の選択について、熟練した知識や技術を要せずとも、手軽で簡単なアクセスのみで自分の該当する傷や不具合を解決することを実現させることが出来る。
【発明を実施するための最良の形態】
【０００６】以下、図面を参照して、本発明を実施するための最良の形態について説明する。図１は、本発明の住宅の補修方法及び補修剤、色の選定システムのシステムの例を示す構成図である。
(57)【要約】【課題】  理美容室などでシャワーを使用するときに、発生する捨て水を自動的に貯水する、シャワーの捨て水貯水具を提供する。【解決手段】  パイプの開口部にシャワーのヘッドの受け口を設け、この受け口側面に吸盤を設け、パイプを通じ、捨て水を貯水することを特徴とするシャワーの捨て水貯水具。【選択図】図１
2009102966.tif 000002
【特許請求の範囲】
【請求項１】
パイプの開口部にシャワーの受け口を設け、このシャワーの受け口の側面に吸盤を設け、パイプを通じ、捨て水を貯水するように構成したことを特徴とするシャワーの捨て水貯水具。
【発明の詳細な説明】
【技術分野】
【０００１】  本発明は、理美容店などでシャワーを使用するときに、温水が出るまで捨てられていた水を自動的に貯水する、シャワーの捨て水の貯水具に関するものである。
【背景技術】
【０００２】  従来、理美容店でお客様にシャンプーをする際、温水か出るまでの水は捨てられていた。
【発明の開示】
【発明が解決しようとする課題】
【０００３】  そのため、次のような問題点があった。
温水が出るまでの水は、捨てるしかなかったり、シャワーを手で持ち水を容器に貯める場合も、温水が出るまでの間、他の作業が出来なかった。
本発明は、以上の問題を解決しようとしたものである。
【課題を解決するための手段】
【０００４】  パイプ（１）の開口部にシャワーの受け口（２）を設け、このシャワーの受け口（２）の側面に吸盤（３）を設け、前記パイプを通じ、捨て水を貯水するように構成したことを特徴とするシャワー捨て水の貯水具である。
【発明の効果】
【０００５】  本発明は、理美容店などで、シャンプーをするときに出る捨て水を自動的に貯水できる。
したがって、その間に他の作業が可能になり、捨て水を洗濯や清掃などに有効に利用できる。
【発明を実施するための最良の形態】
【０００６】  以下、本発明の実施の形態について説明する。
（イ）細長い円柱状のパイプ（１）の開口部に、やや広い円柱状のシャワーの受け口（２）を設ける。
（ロ）シャワーの受け口（２）側面に吸盤（３）を取り付ける。
本発明は、以上の構成によりなっている。
本発明を使用するときは、上記のシャワーの捨て水貯水具を吸盤（３）によりシャンプーボウル側面に取り付け、パイプの先端（４）を貯水容器に投入し、シャワーヘッドをシャワーの受け口（２）に置く、シャワーの受け口（２）があるため、シャワーヘッドはシャワーの受け口（２）の上部で安定し、捨て水はパイプ（１）を通じ、貯水容器へ送られる。
この結果、捨て水が貯水される。
【図面の簡単な説明】
【０００７】
【図１】  本発明の斜視図である。
【図２】  本発明の分解斜視図である。
【図３】  本発明の使用状態を示した斜視図である。
【符号の説明】
【０００８】  １  パイプ
２  シャワーの受け口
３  吸盤
４  パイプの先端
【図１】
2009102966.tif 000003
【図２】
2009102966.tif 000004
【図３】
2009102966.tif 000005